(57)【要約】【課題】上下長さを従来型の蝶番と同程度に抑えることで、従来型の蝶番に対して容易に交換可能な対震蝶番を提供する。【解決手段】本発明の対震蝶番１は、扉枠又は扉の一方に固定される第１羽根部材４と、扉枠又は扉の他方に固定される第２羽根部材５と、第１羽根部材４に第２羽根部材５を水平方向回転可能且つ上下動可能に連結する軸部材６と、弾発力によって第１羽根部材４と第２羽根部材５の間に上下方向に隙間Ｘを形成するバネ部材７と、を備え、軸部材６の外周にバネ部材７が配置されていることを特徴とする。【選択図】図２
2013108303.tif 000002
【特許請求の範囲】
【請求項１】
扉枠又は扉の一方に固定される第１羽根部材と、
扉枠又は扉の他方に固定される第２羽根部材と、
前記第１羽根部材に前記第２羽根部材を水平方向回転可能且つ上下動可能に連結する軸部材と、
弾発力によって前記第１羽根部材と前記第２羽根部材の間に上下方向に隙間を形成するバネ部材と、を備え、
前記軸部材の外周に前記バネ部材が配置されていることを特徴とする対震蝶番。
【請求項２】
前記第１羽根部材は、第１挿入孔が上下方向に設けられた第１筒部を備え、
前記第２羽根部材は、第２挿入孔が上下方向に設けられた第２筒部を備え、
前記軸部材は、前記第１挿入孔に挿入されて前記第１筒部に固定される第１軸部と、前記第２挿入孔に挿入されて前記第２筒部を水平方向回転可能且つ上下動可能に支持する第２軸部と、を備え、
前記バネ部材は、前記第２軸部の外周面と前記第２挿入孔の内周面の間に形成される空間に収納されていることを特徴とする請求項１に記載の対震蝶番。
【発明の詳細な説明】
【技術分野】
【０００１】
本発明は、扉枠に扉を取り付けるための蝶番に関し、特に、地震等の災害時に扉を円滑に開閉させるための対震蝶番に関する。
【背景技術】
【０００２】
従来、扉枠に扉を取り付けるための蝶番として、扉枠又は扉の一方に固定される第１羽根部材と、扉枠又は扉の他方に固定される第２羽根部材と、第１羽根部材に対して第２羽根部材を水平方向回転可能に連結する軸部材と、を備えたものが存在する。
【０００３】
また、特許文献１には、上記各構成に加えて、弾発力によって第１羽根部材と第２羽根部材の間に上下方向に隙間を形成するバネ部材（「ばね２０」参照）を備えた所謂「対震蝶番」が開示されている。この従来技術においては、地震等によって第１羽根部材と第２羽根部材を接近させる方向の外力（圧縮力）が対震蝶番に作用した場合に、バネ部材が収縮することで上記した外力を吸収し、各羽根部材の変形を防止して扉の円滑な開閉を維持できるようになっている。
【先行技術文献】
【特許文献】
【０００４】
【特許文献１】特許第４０２８４７８号公報
【発明の概要】
【発明が解決しようとする課題】
【０００５】
しかしながら、特許文献１の対震蝶番においては、軸部材（「軸２６」参照）の上方にバネ部材が同軸上に配置されており、軸部材の長さにバネ部材の長さを加えた長さよりも対震蝶番全体の上下長さを短くすることは、構造上不可能である。そのため、バネ部材を有しない従来型の蝶番よりも上下長さが必然的に長くなってしまう。その結果、例えば、従来型の蝶番が扉の上端や下端に取り付けられているような場合に、この蝶番を対震蝶番に交換しようとしても、対震蝶番の取付に必要な上下長さを確保することができず、対震蝶番への交換ができないといった不都合を生じる。
【０００６】
そこで、本発明は上記の事情を考慮し、上下長さを従来型の蝶番と同程度に抑えることで、従来型の蝶番に対して容易に交換可能な対震蝶番を提供することを目的とする。
【課題を解決するための手段】
【０００７】
本発明に係る対震蝶番は、扉枠又は扉の一方に固定される第１羽根部材と、扉枠又は扉の他方に固定される第２羽根部材と、前記第１羽根部材に前記第２羽根部材を水平方向回転可能且つ上下動可能に連結する軸部材と、弾発力によって前記第１羽根部材と前記第２羽根部材の間に上下方向に隙間を形成するバネ部材と、を備え、前記軸部材の外周に前記バネ部材が配置されていることを特徴とする。
【０００８】
このような構成を採用することにより、軸部材の上方又は下方にバネ部材を同軸上に配置する構成と比較して、対震蝶番全体の上下長さを短くすることができ、対震蝶番全体の上下長さを、バネ部材を有しない従来型の蝶番と同程度に抑えることが可能となる。そのため、たとえ従来型の蝶番が扉の上端や下端に取り付けられているような場合でも、この蝶番を対震蝶番に容易に交換することが可能となる。
【０００９】
また、本発明に係る対震蝶番は、前記第１羽根部材は、第１挿入孔が上下方向に設けられた第１筒部を備え、前記第２羽根部材は、第２挿入孔が上下方向に設けられた第２筒部を備え、前記軸部材は、前記第１挿入孔に挿入されて前記第１筒部に固定される第１軸部と、前記第２挿入孔に挿入されて前記第２筒部を水平方向回転可能且つ上下動可能に支持する第２軸部と、を備え、前記バネ部材は、前記第２軸部の外周面と前記第２挿入孔の内周面の間に形成される空間に収納されていても良い。
【００１０】
このような構成を採用することにより、バネ部材の収納スペースを容易に確保することが可能となる。
【発明の効果】
【００１１】
本発明によれば、上下長さを従来型の蝶番と同程度に抑えることで、従来型の蝶番に対して容易に交換可能な対震蝶番を提供することが可能となる。
【図面の簡単な説明】
【００１２】
【図１】本発明の一実施形態に係る対震蝶番によって扉枠に取り付けられた扉の正面図である。
【図２】本発明の一実施形態に係る対震蝶番において、通常使用時の状態を示す断面図である。
【図３】本発明の一実施形態に係る対震蝶番において、地震等の非常時に外力が加わった状態を示す断面図である。
【発明を実施するための形態】
【００１３】
以下、図面に基づき、本発明に係る対震蝶番１の好適な実施形態について説明する。図１は、本発明の一実施形態に係る対震蝶番によって扉枠に取り付けられた扉の正面図である。図２は、本発明の一実施形態に係る対震蝶番において、通常使用時の状態を示す断面図である。図３は、本発明の一実施形態に係る対震蝶番において、地震等の非常時に外力が加わった状態を示す断面図である。
【００１４】
図１に示されるように、対震蝶番１は、矩形枠状の扉枠２とこの扉枠２内に設置される矩形状の扉３の間に設置されている。本実施形態では、扉３の上端と下端に計２個の対震蝶番１が設けられている。
【００１５】
図２に示されるように、対震蝶番１は、その下部に位置する第１羽根部材４と、第１羽根部材４の上方に配置される第２羽根部材５と、第１羽根部材４及び第２羽根部材５の一側（図面上は左側）に配置される軸部材６と、軸部材６の外周に配置されるバネ部材７と、を備えている。
【００１６】
第１羽根部材４は、平板状の第１固定部８と、この第１固定部８の一側（図面上は左側）に一体形成される円筒状の第１筒部１０と、第１筒部１０の下端に固定される第１ギボシ１１と、を備えている。
【００１７】
第１固定部８には、複数の取付孔１２が水平方向に穿設されている。そして、この取付孔１２に挿通されたネジ（図示せず）を扉枠２に締結することにより、第１羽根部材４が扉枠２に固定されている。第１筒部１０には、第１挿入孔１３が上下方向に設けられている。
【００１８】
第１ギボシ１１は、第１筒部１０に溶接されて一体化されている。第１ギボシ１１は、円柱状の固定片１５と、この固定片１５の下方に一体形成される円盤状のフランジ部１６と、を備えている。
【００１９】
第１ギボシ１１の固定片１５の外径は、第１筒部１０の第１挿入孔１３の内径と略同一に設定されている。固定片１５は、第１挿入孔１３に挿入されており、これにより、第１挿入孔１３の下端が閉止されて第１筒部１０が有底状を成している。以下、固定片１５の上面１７を、第１ギボシ１１の上面１７と称する。
【００２０】
第１ギボシ１１のフランジ部１６の外径は、第１挿入孔１３の内径よりも大きく設定されている。フランジ部１６の上面は、第１筒部１０の下面に当接している。
【００２１】
第２羽根部材５は、平板状の第２固定部１８と、この第２固定部１８の一側（図面上は左側）に一体形成される円筒状の第２筒部２０と、第２筒部２０の上端に固定される第２ギボシ２１と、を備えている。
【００２２】
第２固定部１８には、複数の取付孔２２が水平方向に穿設されている。そして、この取付孔２２に挿通されたネジ（図示せず）を扉３に締結することにより、第２羽根部材５が扉３に固定されている。
【００２３】
第２筒部２０には、第２挿入孔２３が上下方向に設けられている。第２筒部２０の第２挿入孔２３の内径は、第１筒部１０の第１挿入孔１３の内径と略同一である。第２挿入孔２３の上端部には、断面略横向きＶ字状の環状溝２４が設けられている。第２挿入孔２３の下端部には円環状の装着溝２５が設けられ、この装着溝２５には止め輪２６が装着されている。第２筒部２０と第１筒部１０の間には、円筒状のカバー２７が設けられている。
【００２４】
第２ギボシ２１は、円柱状の固定片２８と、この固定片２８の上方に一体形成される円盤状のフランジ部３０と、を備えている。
【００２５】
第２ギボシ２１の固定片２８の外径は、第２筒部２０の第２挿入孔２３の内径と略同一に設定されている。固定片２８の外周面の上部には、断面略横向きＶ字状の環状突起３１が設けられている。そして、固定片２８を第２挿入孔２３に挿入し、固定片２８の環状突起３１を第２挿入孔２３の環状溝２４に嵌合させることで、第２ギボシ２１が第２筒部２０に固定されると共に、第２挿入孔２３の上端が閉止されて第２筒部２０が有蓋状を成している。
【００２６】
第２ギボシ２１の固定片２８には、環状突起３１よりも下方に延びる延出部３２が設けられている。以下、固定片２８の延出部３２の下面３３を、第２ギボシ２１の下面３３と称する。第２ギボシ２１の下面３３の中央には、上方に向かって円柱状のガイド穴３４が凹設されており、第２ギボシ２１の下面３３は円環状を成している。
【００２７】
軸部材６は、円柱状の第１軸部３５と、この第１軸部３５の上方に設けられる円柱状の第２軸部３６と、第２軸部３６の下端外周に装着される円筒状のバネ受け３７と、を備えている。
【００２８】
第１軸部３５は、第１筒部１０の第１挿入孔１３に挿入され、第１筒部１０に溶接によって固定されている。第１軸部３５の外径は、第１筒部１０の第１挿入穴１３の内径と略同一である。第１軸部３５の下面は、第１ギボシ１１の上面１７に当接している。
【００２９】
第２軸部３６は、第２筒部２０の第２挿入孔２３に挿入され、第２筒部２０を水平方向回転可能且つ上下動可能に支持している。つまり、第２軸部３６は、第２筒部２０に固定されていない。第２軸部３６の外径は、第１軸部３５の外径よりも小さいため、第１軸部３５と第２軸部３６の間には、円環状の段差部３８が形成されている。第２軸部３６の外径は、第２筒部２０の第２挿入孔２３の内径よりも小さいため、第２軸部３６の外周面と第２挿入孔２３の内周面の間には、円筒状の空間４０が形成されている。第２軸部３６の上端部は、第２ギボシ２１のガイド穴３４に挿入されている。第２軸部３６の上端外周には、面取り部４１が設けられている。
【００３０】
バネ受け３７の内径は、第２軸部３６の外径と略同一である。バネ受け３７の外径は、第２筒部２０の第２挿入孔２３に装着された止め輪２６の内径よりも僅かに小さい。
【００３１】
バネ受け３７の下面は、第１軸部３５の上面に当接している。バネ受け３７の上部は、第２筒部２０の第２挿入孔２３に挿入されている。バネ受け３７の上端外周には鍔部４３が設けられている。鍔部４３の外径は、止め輪２６の内径よりも大きく、鍔部４３の下面に止め輪２６の上面が当接又は近接することで、第２羽根部材５の上昇が規制されている。
【００３２】
バネ部材７は、例えばコイルスプリングによって構成される。バネ部材７は、空間４０に収納されており、バネ部材７の下端は、軸部材６のバネ受け３７の上面に当接し、バネ部材７の上端は、第２羽根部材５の第２ギボシ２１の下面３３に当接している。バネ部材７は、その弾発力によって、第１羽根部材４及び軸部材６に対して第２羽根部材５を持ち上げており、第１羽根部材４と第２羽根部材５の間には、バネ部材７の弾発力に応じた隙間Ｘが上下方向に形成されている。
【００３３】
上記の如く構成されたものにおいて、例えば地震等によって扉枠２が平行四辺形状に変形した場合には、第１羽根部材４と第２羽根部材５を接近させる方向の外力（圧縮力）が対震蝶番１に作用する。この外力により、図３に示されるように、第２羽根部材５が第１羽根部材４及び軸部材６に対して下降し、第２羽根部材５の第２ギボシ２１と軸部材６のバネ受け３７が接近して、バネ部材７が収縮する。このバネ部材７の収縮によって上記した外力が吸収され、第１羽根部材４及び第２羽根部材５の変形が防止されて扉３の円滑な開閉が維持される。
【００３４】
本実施形態では、軸部材６の第２軸部３６の外周にバネ部材７が配置されているため、軸部材６の上方又は下方にバネ部材７を同軸上に配置する構成と比較して、対震蝶番１の全体の上下長さを短くすることができ、対震蝶番１の全体の上下長さを、バネ部材７を有しない従来型の蝶番と同程度に抑えることが可能となる。そのため、たとえ従来型の蝶番が扉の上端や下端に取り付けられているような場合でも、この蝶番を対震蝶番１に容易に交換することが可能となる。
【００３５】
また、軸部材６の第２軸部３６の外周面と第２筒部２０の第２挿入孔２３の内周面の間の空間４０にバネ部材７が収納されている。このような構成を採用することで、バネ部材７の収納スペースを容易に確保することが可能となる。
【００３６】
本実施形態では、バネ部材７の下端をバネ受け３７の上面に当接させる場合について説明したが、他の異なる実施形態においてバネ受け３７を用いない場合には、段差部３８にバネ部材７の下端を当接させても良い。
【００３７】
本実施形態では、外力によって第２羽根部材５が第１羽根部材４に対して下降する場合を例に説明を行ったが、外力によって第１羽根部材４が第２羽根部材５に対して上昇する場合や、外力によって第１羽根部材４の上昇と第２羽根部材５の下降とが同時に発生する場合についても、バネ部材７の収縮によって外力が吸収される。
【００３８】
本実施形態では、扉枠２と扉３の間に計２個の対震蝶番１が設けられる場合について説明したが、他の異なる実施形態では、対震蝶番１の数は、１個又は３個以上の複数個であっても良い。
【００３９】
本実施形態では、第１羽根部材４が扉枠２に固定され、第２羽根部材５が扉３に固定される場合について説明したが、他の異なる実施形態では、第１羽根部材４が扉３に固定され、第２羽根部材５が扉枠２に固定されても良い。
【符号の説明】
【００４０】
１  対震蝶番
２  扉枠
３  扉
４  第１羽根部材
５  第２羽根部材
６  軸部材
７  バネ部材
１０  第１筒部
１３  第１挿入孔
２０  第２筒部
２３  第２挿入孔
３５  第１軸部
３６  第２軸部
４０  空間
【図１】
2013108303.tif 000003
【図２】
2013108303.tif 000004
【図３】
2013108303.tif 000005